(57)【要約】【課題】複数台の回路遮断器を並置して使用する配電設備に適用して上位（電源側）からの電線を配線する場合に、丸形圧着端子の使用にも即対応でき、かつその配線作業が簡単に行えるように構造を具体化した回路遮断器用の中継端子装置を提供する。【解決手段】ケース内部を主回路の各相に対応して仕切り、その前面に電線挿入窓を開口した箱形のケース９と、該ケースの上面に被着した上部カバー１０との分割構造になる絶縁フレームに対し、そのケース内の定位置に圧入保持してその後端を絶縁フレームの背後に引出した端子板１１と、該端子板に螺設して電線５の丸形圧着端子７を締結する端子ねじ１２を設け、かつ上部カバーには前記端子ねじの操作穴を開口した上で、前記ケースに対し着脱可能にスナップフィット結合する。【選択図】        図１
2007128795.tif 000002
【特許請求の範囲】
【請求項１】
回路遮断器の主回路端子に取り付けて各相の丸形圧着端子付き電線を挿入接続する中継端子装置であって、主回路の各相に対応してケース内部を仕切り、かつ前面に電線挿入窓を開口した箱形ケースと、該ケースの上面に被着した上部カバーとの分割構造になる絶縁フレームに対し、そのケース内の定位置に圧入保持してその後端を絶縁フレームの背後に引出した端子板と、該端子板に螺設して丸形圧着端子を締結する端子ねじを備え、かつ絶縁フレームの上部カバーには前記端子ねじの操作穴を開口した上で、前記ケースに対し着脱可能に掛止結合したことを特徴とする回路遮断器の中継端子装置。
【請求項２】
請求項１記載の端子装置において、端子板には端子ねじを螺合するねじ穴を形成し、かつそのねじ穴周縁にバーリング加工を施した上で、端子板の先端部に形成した係合突起を絶縁フレームのケース内部に形成した嵌合部に圧入して定位置に係止固定したことを特徴とする回路遮断器の中継端子装置。
【請求項３】
請求項１記載の端子装置において、絶縁フレームの上部カバーにはその左右両サイドに係止爪付きのタブ状突起を形成するとともに、該タブ状突起に対向してケースの左右両側側壁には切欠き凹部および爪係合穴を形成してケースに上部カバーをスナップフィット結合したことを特徴とする回路遮断器の中継端子装置。
【発明の詳細な説明】
【技術分野】
【０００１】
本発明は、例えば複数台の配線用回路遮断器を配電盤内に並置配備した配電設備に適用し、回路遮断器の電源側端子に上位（電源側）からの電線を配線して各基の回路遮断器に電源を入力する場合に使用する中継端子装置（付属品）に関する。
【背景技術】
【０００２】
回路遮断器の主回路端子に電線を接続する中継の端子装置（付属品）として、主回路のＵ，Ｖ，Ｗ各相に対応するねじ付きのボックス形端子金具，および該端子金具と回路遮断器の主回路端子との間を接続する端子板を絶縁フレーム（樹脂ケース）に組み込んだ単体構造になる端子台が従来より知られている（例えば、特許文献１参照）。
一方、配電盤内に並置配備した複数台の配線用回路遮断器に対して、その電源側端子に上位（電源側）から給電用の電線を配線して電源入力する場合には、各回路遮断器の電源側端子の相互間に共通なブスバーを配線して各基の電源側端子を並列接続した上で、特定した回路遮断器に対してその電源側端子に上位（電源側）からの電線を接続して電源入力する配線方式が一般に採用されており、この場合に従来では回路遮断器に前記した中継端子台を外付けし、この端子台に上位の電線（電源の給電線）を接続するようにしている。次にこの配線方式の電源入力に適用する従来構造の中継端子台を図７に示す。
【０００３】
図７において、１は回路遮断器（配線用回路遮断器）、２は回路遮断器１の電源側端子、３は端子ねじ、４は盤内に並置した複数台の回路遮断器１の電源側端子を並列接続するようＵ，Ｖ，Ｗ各相ごとに各回路遮断器の相互間にまたがって配線した電源側のブスバー、５は上位（電源側）の電線、６が電線５を回路遮断器１に接続する電源入力の中継端子台（付属品）であり、該端子台６は複数台の回路遮断器のうち、特定した回路遮断器の電源側端子に接続し、ブスバー４を介して各基の回路遮断器１に電源を入力するようにしている。
ここで、図示の端子台６は、特許文献１に開示されている構造と同様に、絶縁フレーム（樹脂ケース）６ａにＵ，Ｖ，Ｗ各相に対応する端子板６ｂ，ボックス形端子金具６ｃ，および端子ねじ６ｄを組み込んだ構造になり、端子台６の背後に引出した端子板６ｂの先端をブスバー４の各相から分岐した端子部と一緒に回路遮断器１の電源側端子２に端子ねじ３で共締めし、この状態で端子台６の前方からボックス形端子金具６ｃに差し込んだ電線５の芯線５ａを端子ねじ６ｄにより締めつけて芯線５ａを端子板６ｂに導通接続するようにしている。
【特許文献１】特開２０００−１２３８９１号公報
【発明の開示】
【発明が解決しようとする課題】
【０００４】
ところで、ボックス形端金具を備えた従来構造の端子台は、前方からボックス形端子金具６ｃに差し込んだ電線５の芯線５ａを端子ねじ６ｄで締結していることから、配線後に電線５が引っ張られたりすると電線５が不測に端子台６から外れる電線抜けの問題がある。また、先記のように複数台の回路遮断器に対し特定した回路遮断器に接続して電源を入力する上位の電線５は通電容量の関係から芯線５ａの断面積が大きく、この芯線５ａを端子台６の端子板６ｂに接続するには強固な締めつけが必要で、端子ねじ６ｄの締めつけが甘いと前記のような電線抜け，あるいは局部的な通電発熱により電線５の絶縁被覆が焼損するなどのトラブルを引き起こすおそれがある。
そこで、回路遮断器に対する配線の接続信頼性を高めるために、電線５に丸形圧着端子を使用して電線抜けを防ぐようにする要求があるが、図７に示した端子台６の構造では丸形圧着端子には即対応できないし、またこの端子台６に丸形圧着端子を接続するには端子台６の絶縁フレーム６ａからカバー，端子ねじ６ｄを取り外し、端子ねじに丸形圧着端子を通してからねじ締めする作業を要し、かつ端子台にもその配線作業に対応した構造が必要である。
【０００５】
本発明は上記の点に鑑みなされたものであり、先記のように複数台の回路遮断器を並置して使用する配電設備に適用して上位（電源側）からの電線を配線する場合に、丸形圧着端子の使用にも即対応でき、かつその配線作業が簡単に行えるように構造を具体化した回路遮断器用の中継端子装置を提供することにある。
【課題を解決するための手段】
【０００６】
上記目的を達成するために、本発明の端子装置は、主回路の各相に対応してケース内部を仕切り、かつその前面に電線挿入窓を開口した箱形ケースと、該ケースの上面に被着した上部カバーとの分割構造になる絶縁フレームに対し、そのケース内の定位置に圧入保持してその後端を絶縁フレームの背後に引出した端子板と、該端子板に螺設して丸形圧着端子を締結する端子ねじを設け、かつ絶縁フレームの上部カバーには前記端子ねじの操作穴を開口した上で、前記ケースに対し着脱可能に掛止結合した構成とする（請求項１）、
また、前記構成の端子装置において、端子板には端子ねじを螺合するねじ穴を形成し、かつそのねじ穴周縁にバーリング加工を施した上で、端子板の先端部に形成した係合突起を絶縁フレームのケース内部に形成した嵌合部に圧入して定位置に係止固定する（請求項２）。
【０００７】
さらに、前記絶縁フレームの上部カバーについては、その左右両サイドに係止爪付きのタブ状突起を形成するとともに、該タブ状突起に対向してケースの左右両側側壁には切欠き凹部および爪係合穴を形成し、上部カバーをケース上面にスナップフィット結合して着脱可能に掛止固定する（請求項３）。
【発明の効果】
【０００８】
上記構成の端子装置は丸形圧着端子付き電線の接続にも即対応できる。したがって、この端子装置を電源入力用の中継端子台として盤内に並べて配置した回路遮断器に適用し、該端子装置の背後に引出した端子板を特定した回路遮断器の電線側端子へ並列接続用のブスバーと一緒に差し込んでねじ締結することで、上位（電線側）からの電線に丸形圧着端子を使用し、電線抜けなしに接続して電源入力配線の信頼性向上を図ることができる。
しかも、端子装置の上部カバーをケース上面にスナップフィットして掛止結合したことにより、電線の接続，付替え、およびカバーの着脱作業が楽に行える。
【発明を実施するための最良の形態】
【０００９】
以下、本発明の実施の形態を図１〜図６に示す実施例に基づいて説明する。なお、実施例の図中で図７に対応する部材には同じ符号を付してその説明は省略する。
先ず、図１において、回路遮断器１の電源入力側端子に接続する上位（電源側）の電線５には丸形圧着端子が取り付けられており、この丸形圧着端子付き電線５を回路遮断器１の電源側端子２に接続する中継の端子装置として使用する端子台８は、ケース９と上部カバー１０からなる二分割構造の絶縁フレーム（樹脂成形品）に主回路の各相に対応する圧着端子に対応した端子板１１および端子ねじ１２を設けた構造になる。なお、その組立構造の斜視図を図３に示す。そして、この端子台８を回路遮断器１に外付けするには、端子台８の絶縁フレームから背後に引出した端子板１１の先端部を後記するブスバー４と一緒に回路遮断器１の電源側端子２に差し込み、端子ねじ３で共締めして回路遮断器１に接続するようにしている。
【００１０】
また、図２は左右に並ぶ複数台（図示は２台）の回路遮断器１に前記の端子台８を電源入力用の中継端子装置として適用する場合の接続配置を表し、各回路遮断器１の電源側端子には並列接続用のブスバー４から分岐した各相の端子部４ａを差し込み、さらに左側に並ぶ回路遮断器にはブスバー４の端子部４ａと一緒に前記端子台８の端子板１１を差し込んで端子ねじ３で共締めするようにしている。
次に、前記の端子台８について、絶縁フレームのケース９，上部カバー１０，および端子板１１の詳細構造を図４〜図６で説明する。
まず、図４（ａ）〜（ｃ）に示したケース９は、その内部が相間隔壁９ａによりＵ，Ｖ，Ｗの各相に対応して仕切られた上面開放形の箱形ケースになり、ケース前面には各相に対応する電線５（図１参照）の挿入窓９ｂが、後面には端子板１１（図６参照）を嵌入するスリット状の切欠溝９ｃが形成されている。また、ケース９の左右側壁の上縁中央部位には後記する上部カバー１０の左右側縁に形成した係合突起が嵌入する切欠き凹部９ｄ，および爪係合穴９ｄ−１が形成され、さらにケース内部には後記する端子板１１の先端係合突起を圧入して掛止固定する段差部９ｅ，および端子板１１の中間部位の左右側縁に形成した突起部を圧入保持する小突起付き嵌合溝９ｆが形成されている。
【００１１】
また、図５（ａ）〜（ｃ）に示す上部カバー１０は、その上面に各相の端子ねじ１２（図１参照）に対応するねじ操作穴１０ａが開口し、また左右両側縁には下方に延在してケース９の切欠き凹部９ｄ（図４参照）に嵌合するタブ状突起１０ｂ、および該突起の先端には爪係合穴９ｄ−１に係合する係合爪１０ｂ−１が形成された構造になる。
一方、図６（ａ）〜（ｃ）に示す端子板１１は、図１に示した丸形圧着端子７の取付座部（方形状）１１ａから背後に小幅な接続部１１ｂがＬ字状に延在した形状になり、前記取付座部１１ａの板面には端子ねじ１２（図１参照）を螺設するねじ穴１１ｃが開口し、かつ取付座部１１ａの裏面側にはねじ穴１１ｃの周縁に沿ってバーリング部１１ａ−１を形成して所要深さのねじ穴１１ｃを確保している。また、取付座部１１ａの前端中央部には錨状の係合突起１１ｄが、接続部１１ｂの左右側縁には圧入突起部１１ｅが形成されており、この係合突起１１ｄ，圧入突起１１ｅをそれぞれケース９（図４参照）に形成した段差部９ｅ，嵌合溝９ｆに圧入して端子板１１を所定位置に掛止固定するようにしている。なお、前記接続部１１ｂを図２に示したブスバー４の分岐端子部４ａと一緒に回路遮断器１の電源側端子２に差し込んでねじ止めするために、接続部１１ａの先端は図示のように先細り形状としている。
【００１２】
上記の構成で、端子台８を回路遮断器１に外付けするには、端子台８から背後に引出した端子板接続部１１ｂの先端を図１のように回路遮断器１の電源側端子２に差し込んで端子ねじ３により締結する。この状態で端子台８に丸形圧着端子付き電線５を接続するには、端子台８の端子ねじ１２を緩めた上でケース９の前方から各相の電線５を窓穴９ｂに挿入し、その丸形圧着端子７を端子板１１の取付座部１１ａの上面に重ね合わせた上で、この丸形圧着端子７に嵌挿して端子ねじ１２を取付座部１１ａのねじ穴１１ｃに螺合して丸形圧着端子７を締結する。なお、このねじ止め作業を行う際に、上部カバー１０の係合突起１０ｂ−１を指先で押し込んでケースとの係合を解除することで簡単にカバー１０をケース９から取り外すことができ、またカバー１０をケース９に装着する場合にはケースの上に被せたカバーを上方から押し込むだけで簡単に掛止できる。
【図面の簡単な説明】
【００１３】
【図１】回路遮断器に外付けした本発明実施例の端子台の組立構造を表す分解図
【図２】図１の端子台を回路遮断器に接続する際の配置を表す平面図
【図３】図１に示した端子台の分解斜視図
【図４】図３におけるケースの詳細構造図で、（ａ），（ｂ），（ｃ）はそれぞれ正面図，平面図，および（ｂ）の矢視Ａ−Ａ断面図
【図５】図３における上部カバーの詳細構造図で、（ａ），（ｂ），（ｃ）はそれぞれ平面図，側面図，および（ａ）の矢視Ａ−Ａ断面図
【図６】図３における端子板の詳細構造図で、（ａ），（ｂ），（ｃ）はそれぞれ平面図，側面面図，および正面図
【図７】回路遮断器に外付けした従来構造の電源入力用端子台の構成断面図
【符号の説明】
【００１４】
１    回路遮断器
２    電源側端子
３    端子ねじ
４    ブスバー
５    電線
７    丸形圧着端子
８    電源入力用の中継端子台
９    ケース
９ａ  相間隔壁
９ｂ  電線挿入窓
９ｄ  切欠き凹部
９ｄ−１  爪係合穴
９ｅ  端子板の嵌合段差部
９ｆ  端子位置の嵌合溝
１０    上部カバー
１０ａ  ねじ操作穴
１０ｂ  タブ状突起
１０ｂ−１  係合爪
１１    端子板
１１ａ  丸形圧着端子の取付座部
１１ａ−１  バーリング加工部
１１ｂ  接続部
１１ｃ  ねじ穴
１１ｄ  係合突起
１１ｅ  圧入突起
１２    端子ねじ
【図１】
2007128795.tif 000003
【図２】
2007128795.tif 000004
【図３】
2007128795.tif 000005
【図４】
2007128795.tif 000006
【図５】
2007128795.tif 000007
【図６】
2007128795.tif 000008
【図７】
2007128795.tif 000009